(57)【特許請求の範囲】
【請求項１】
フィルタフレーム（２５０）およびフィルタ本体（２６０）を有するフィルタ（１５０）と、
前記フィルタに接触しながら前記フィルタに対して相対的に移動することにより、前記フィルタ本体に付着した塵埃を除去する除去ブラシ（１７０）と、
を備え、
前記除去ブラシの第１部分の毛先は、前記除去ブラシの基準直線から第１距離だけ離れており、
前記除去ブラシの第２部分の毛先は、前記基準直線から第１距離よりも長い第２距離だけ離れており、
前記基準直線は、前記除去ブラシの内部を通り、かつ、前記除去ブラシの延伸方向に沿う直線であり、
前記第１部分は、前記除去ブラシが前記塵埃を除去する場合に、前記フィルタ本体が第１撓み量だけ撓んだ部分に対向する部分であり、
前記第２部分は、前記除去ブラシが前記塵埃を除去する場合に、前記フィルタ本体が前記第１撓み量よりも大きい第２撓み量だけ撓んだ部分に対向する部分であり、
前記第１部分は、前記第２部分よりも前記フィルタフレームに寄っており、
前記除去ブラシの毛先は、前記フィルタフレームから離れるにつれて、前記基準直線から離れ、
前記除去ブラシは、隣接する前記フィルタフレーム間の前記フィルタ本体に対向し、対向する前記フィルタ本体の撓み方向と同方向に突出するように凸状に、毛先により形成された毛先面を有する、
空気調和装置。
【請求項２】
前記除去ブラシは、基材部分（１７１）を有し、
前記基材部分の厚みが、前記フィルタフレームから離れるにつれて厚くなることにより、前記除去ブラシの毛先は、前記フィルタフレームから離れるにつれて前記基準直線から離れる、
請求項１に記載の空気調和装置。
【請求項３】
前記除去ブラシは、基材部分（１７１）と、前記基材部分に固定された毛部分（１７２）とを有し、
前記毛部分の長さが、前記フィルタフレームから離れるにつれて長くなることにより、前記除去ブラシの毛先は、前記フィルタフレームから離れるにつれて前記基準直線から離れる、
請求項１に記載の空気調和装置。
【請求項４】
フィルタフレーム（２５０）およびフィルタ本体（２６０）を有するフィルタ（１５０）と、
前記フィルタに接触しながら前記フィルタに対して相対的に移動することにより、前記フィルタ本体に付着した塵埃を除去する除去ブラシ（１７０）と、
前記除去ブラシに付着した前記塵埃を剥がす剥離ブラシ（１８０）と、
を備え、
前記除去ブラシの第１部分の毛先は、前記除去ブラシの基準直線から第１距離だけ離れており、
前記除去ブラシの第２部分の毛先は、前記基準直線から第１距離よりも長い第２距離だけ離れており、
前記基準直線は、前記除去ブラシの内部を通り、かつ、前記除去ブラシの延伸方向に沿う直線であり、
前記第１部分は、前記除去ブラシが前記塵埃を除去する場合に、前記フィルタ本体が第１撓み量だけ撓んだ部分に対向する部分であり、
前記第２部分は、前記除去ブラシが前記塵埃を除去する場合に、前記フィルタ本体が前記第１撓み量よりも大きい第２撓み量だけ撓んだ部分に対向する部分であり、
前記剥離ブラシは、前記除去ブラシに対向して配置されており、
前記剥離ブラシのうち前記第１部分に対向する部分の毛先は、前記剥離ブラシのうち前記第２部分に対向する部分の毛先よりも、前記剥離ブラシの基準直線から離れており、
前記剥離ブラシの前記基準直線は、前記剥離ブラシの内部を通り、かつ、前記剥離ブラシの延伸方向に沿う直線である、
空気調和装置。
【発明の詳細な説明】
【技術分野】
【０００１】
本発明は、空気調和装置に関する。
【背景技術】
【０００２】
フィルタに付着した塵埃を除去する除去ブラシを備えた空気調和装置が知られている（特許文献１（特開２００９−１９２２１１号公報）参照）。
【発明の概要】
【発明が解決しようとする課題】
【０００３】
この種の空気調和装置に搭載されたフィルタは、自重により撓み得る。フィルタが撓むと、当該フィルタに付着した塵埃を除去ブラシで十分に取り除くことができない場合がある。
【０００４】
本発明の課題は、除去ブラシによる塵埃の取り残しを低減する空気調和装置を提供することである。
【課題を解決するための手段】
【０００５】
本発明の第１観点に係る空気調和装置は、フィルタと、除去ブラシとを備える。フィルタは、フィルタフレームおよびフィルタ本体を有する。除去ブラシは、フィルタに接触しながらフィルタに対して相対的に移動することにより、フィルタ本体に付着した塵埃を除去する。除去ブラシの第１部分の毛先は、除去ブラシの基準直線から第１距離だけ離れている。除去ブラシの第２部分の毛先は、基準直線から第１距離よりも長い第２距離だけ離れている。基準直線は、除去ブラシの内部を通り、かつ、除去ブラシの延伸方向に沿う直線である。第１部分は、除去ブラシが塵埃を除去する場合に、フィルタ本体が第１撓み量だけ撓んだ部分に対向する部分である。第２部分は、除去ブラシが塵埃を除去する場合に、フィルタ本体が第１撓み量よりも大きい第２撓み量だけ撓んだ部分に対向する部分である。
【０００６】
また、本発明の第１観点に係る空気調和装置においては、第１部分は、第２部分よりもフィルタフレームに寄っている。すなわち、除去ブラシの第１部分は、フィルタフレーム近傍に対向し、除去ブラシの第２部分は、フィルタフレーム近傍というよりも、フィルタフレームからある程度離れた部分に対向する。
【０００７】
また、本発明の第１観点に係る空気調和装置においては、除去ブラシの毛先は、フィルタフレームから離れるにつれて、基準直線から離れる。すなわち、除去ブラシの毛先は、凸部を有する。
【０００８】
また、本発明の第１観点に係る空気調和装置においては、除去ブラシは、隣接するフィルタフレーム間のフィルタ本体に対向し、対向するフィルタ本体の撓み方向と同方向に突出するように凸状に、毛先により形成された毛先面を有する。
【０００９】
本発明の第１観点に係る空気調和装置では、除去ブラシの毛先は、第１部分では、基準直線から第１距離だけ離れるように、形成されている。一方、除去ブラシの毛先は、第２部分では、基準直線から第１距離よりも長い第２距離だけ離れるように、形成されている。除去ブラシの毛先の高さが一定ではなく、フィルタ本体の撓み量に応じて変えられているので、撓み量が小さい部分に限らず、撓み量が大きい部分に対しても塵埃を効果的に除去することができる。すなわち、フィルタ本体の撓み量によらず、塵埃を除去することができる。結果として、除去ブラシによる塵埃の取り残しを低減することができる。
【００１０】
したがって、本発明の第１観点に係る空気調和装置では、フィルタ本体の撓み量に応じた、除去ブラシの毛先の高さを実現することができる。
【００１１】
また、本発明の第１観点に係る空気調和装置では、除去ブラシの毛先がフィルタ本体の撓み具合に合わせた形状に形成されているので、フィルタ本体に付着した塵埃を効果的に除去することができる。
【００１２】
本発明の第２観点に係る空気調和装置においては、除去ブラシは、基材部分を有する。基材部分の厚みが、フィルタフレームから離れるにつれて厚くなることにより、除去ブラシの毛先は、フィルタフレームから離れるにつれて基準直線から離れる。
【００１３】
本発明の第２観点に係る空気調和装置では、基材部分の厚みは、フィルタフレームから離れるにつれて厚くなる。これにより、毛部分の長さを変えることなく、除去ブラシの毛先の形状を変えることができる。
【００１４】
本発明の第３観点に係る空気調和装置においては、除去ブラシは、基材部分と、毛部分とを有する。毛部分は、基材部分に固定されている。毛部分の長さが、フィルタフレームから離れるにつれて長くなることにより、除去ブラシの毛先は、フィルタフレームから離れるにつれて基準直線から離れる。
【００１５】
本発明の第３観点に係る空気調和装置では、毛部分の長さは、フィルタフレームから離れるにつれて長くなる。これにより、基材部分の厚さを変えることなく、除去ブラシの毛先の形状を変えることができる。
【００１６】
本発明の第４観点に係る空気調和装置は、フィルタと、除去ブラシとを備える。フィルタは、フィルタフレームおよびフィルタ本体を有する。除去ブラシは、フィルタに接触しながらフィルタに対して相対的に移動することにより、フィルタ本体に付着した塵埃を除去する。除去ブラシの第１部分の毛先は、除去ブラシの基準直線から第１距離だけ離れている。除去ブラシの第２部分の毛先は、基準直線から第１距離よりも長い第２距離だけ離れている。基準直線は、除去ブラシの内部を通り、かつ、除去ブラシの延伸方向に沿う直線である。第１部分は、除去ブラシが塵埃を除去する場合に、フィルタ本体が第１撓み量だけ撓んだ部分に対向する部分である。第２部分は、除去ブラシが塵埃を除去する場合に、フィルタ本体が第１撓み量よりも大きい第２撓み量だけ撓んだ部分に対向する部分である。空気調和装置は、除去ブラシに付着した塵埃を剥がす剥離ブラシをさらに備える。剥離ブラシは、除去ブラシに対向して配置されている。剥離ブラシのうち第１部分に対向する部分の毛先は、剥離ブラシのうち第２部分に対向する部分の毛先よりも、剥離ブラシの基準直線から離れている。剥離ブラシの基準直線は、剥離ブラシの内部を通り、かつ、剥離ブラシの延伸方向に沿う直線である。
【００１７】
本発明の第４観点に係る空気調和装置では、剥離ブラシのうち第１部分に対向する部分の毛先は、剥離ブラシのうち第２部分に対向する部分の毛先よりも、剥離ブラシの基準直線から離れている。すなわち、剥離ブラシの毛先の高さは一定ではなく、除去ブラシの毛先の高さに応じて変えられている。これにより、除去ブラシの毛先の高さが高い部分に限らず、毛先の高さが低い部分に対しても塵埃を効果的に剥がすことができる。つまり、除去ブラシの毛先の高さによらず、除去ブラシに付着した塵埃を効果的に剥がすことができる。
【発明の効果】
【００１８】
本発明の第１観点に係る空気調和装置では、フィルタ本体の撓み量によらず、塵埃を除去することができる。結果として、除去ブラシによる塵埃の取り残しを低減することができる。
【００１９】
本発明の第１観点に係る空気調和装置では、フィルタ本体の撓み量に応じた、除去ブラシの毛先の高さを実現することができる。
【００２０】
本発明の第１観点に係る空気調和装置では、除去ブラシの毛先がフィルタ本体の撓み具合に合わせた形状に形成されているので、フィルタ本体に付着した塵埃を効果的に除去することができる。
【００２１】
本発明の第２観点に係る空気調和装置では、毛部分の長さを変えることなく、除去ブラシの毛先の形状を変えることができる。
【００２２】
本発明の第３観点に係る空気調和装置では、基材部分の厚さを変えることなく、除去ブラシの毛先の形状を変えることができる。
【００２３】
本発明の第４観点に係る空気調和装置では、除去ブラシの毛先の高さによらず、除去ブラシに付着した塵埃を効果的に剥がすことができる。
【図面の簡単な説明】
【００２４】
【図１】本発明の一実施形態に係る空気調和装置の外観斜視図である。
【図２】前面板が取り外された空気調和装置の外観斜視図である。
【図３】図１のＩＩＩ−ＩＩＩ断面図である。
【図４】空気調和装置の一部の分解斜視図である。
【図５】清掃ユニットの外観斜視図である。
【図６】清掃ユニットの外観斜視図である。
【図７】清掃ユニットの外観斜視図である。
【図８】図５のＶＩＩＩ−ＶＩＩＩ断面図である。
【図９】除去ブラシの基材部分の外観斜視図である。
【図１０】剥離ブラシの基材部分の外観斜視図である。
【図１１】左側フィルタの外観斜視図である。
【図１２】除去ブラシと左側フィルタの位置関係を説明する図である。
【図１３】除去ブラシと剥離ブラシの位置関係を説明する図である。
【発明を実施するための形態】
【００２５】
本発明の実施形態を以下に示す。なお、以下の実施形態は、具体例に過ぎず、特許請求の範囲に係る発明を限定するものではない。
【００２６】
＜第１実施形態＞
（１）空気調和装置の構成
図１は、本発明の一実施形態に係る空気調和装置１００の外観斜視図である。本明細書では、「前」、「後」、「上」、「下」、「左」、および「右」の６つの方向は、図１に示されるように定義される。図２は、後述の前面板１１６が取り外された空気調和装置１００の外観斜視図である。図３は、図１のＩＩＩ−ＩＩＩ断面図である。図４は、空気調和装置１００の一部の分解斜視図である。
【００２７】
空気調和装置１００は、主として、本体ケーシング１１０、室内ファン１２０、室内熱交換器１３０、支持フレーム１４０、フィルタ１５０、および清掃ユニット１６０を備える。本体ケーシング１１０の背面側が側壁ＷＬに取り付けられることにより、空気調和装置１００は室内ＲＳの側壁ＷＬに設置される。
【００２８】
（１−１）本体ケーシング
本体ケーシング１１０は、背面板１１１、天板１１３、左側板１１４、右側板１１５、および前面板１１６により構成されている。本体ケーシング１１０は、室内ファン１２０、室内熱交換器１３０、支持フレーム１４０、フィルタ１５０、および清掃ユニット１６０等を収納している。本体ケーシング１１０の上部には、吸込口１０１が形成されている。本体ケーシング１１０の下部の中央付近には、調和空気を吹き出す吹出口１０２が形成されている。
【００２９】
（１−２）室内ファン
室内ファン１２０は、本体ケーシング１１０の、上下方向における略中央部分に配置されている。室内ファン１２０は、クロスフローファンである。室内ファン１２０は、ファンモータに接続されている。室内ファン１２０がファンモータの駆動により回転すると、室内の空気は、吸込口１０１から本体ケーシング１１０の内部に吸い込まれる。吸い込まれた空気は、室内熱交換器１３０を通過した後、吹出口１０２に通じる案内流路を案内されて、最終的に吹出口１０２から吹き出される。
【００３０】
（１−３）室内熱交換器
室内熱交換器１３０は、室内ファン１２０の一部を覆うように配置されている。より詳細には、室内熱交換器１３０は、室内ファン１２０の上部付近、すなわち、室内ファン１２０の前方下側付近から室内ファン１２０の後方上側付近にかけて、位置している。室内熱交換器１３０は、冷房運転時に冷媒の蒸発器として機能し、暖房運転時に冷媒の放熱器として機能する。
【００３１】
（１−４）支持フレーム
支持フレーム１４０は、室内熱交換器１３０を覆うように配置されている。支持フレーム１４０の後端は、化粧板であるグリル１１７にビス止めされている。支持フレーム１４０は、フィルタ１５０および清掃ユニット１６０を支持している。支持フレーム１４０は、中央フレーム１４０Ｃ、左側支持フレーム部分１４０Ｌ、および右側支持フレーム部分１４０Ｒを有する。
【００３２】
中央フレーム１４０Ｃは、支持フレーム１４０の左右方向の中央に設けられている。中央フレーム１４０Ｃは、支持フレーム１４０の前方下側の端部から後方上側の端部にかけて位置している。中央フレーム１４０Ｃは、支持フレーム１４０を左側支持フレーム部分１４０Ｌと右側支持フレーム部分１４０Ｒに区画している。
【００３３】
左側支持フレーム部分１４０Ｌは、支持フレーム１４０のうち、中央フレーム１４０Ｃにより区画された左側の部分である。左側支持フレーム部分１４０Ｌは、２つの爪部１４１Ｌと、２つの取付部１４２Ｌとを含む。２つの爪部１４１Ｌは、左側支持フレーム部分１４０Ｌの前方下側に設けられている。２つの爪部１４１Ｌは、互いに左右方向に離れて位置している。一方の取付部１４２Ｌは、左側支持フレーム部分１４０Ｌの左側端部の側壁に設けられている。他方の取付部１４２Ｌは、中央フレーム１４０Ｃのうち左側支持フレーム部分１４０Ｌ側の側壁に設けられている。すなわち、２つの取付部１４２Ｌは、互いに左右方向に離れて位置している。２つの取付部１４２Ｌは、左右方向に対向して位置している。また、左側支持フレーム部分１４０Ｌの上部の左右両端には、ガイドレール１４３Ｌが設けられている。
【００３４】
左側支持フレーム部分１４０Ｌの前方下側の端部には、左用シャフトが左右方向に沿って設けられている。左用シャフトは、左用モータにより回転する。左用シャフトの両端には、左用駆動ギアが連結されている。それぞれの左用駆動ギアには、左用ワイヤーベルトが掛けられている。それぞれの左用ワイヤーベルトは、左側支持フレーム部分１４０Ｌの前方下側（すなわち左用駆動ギア）から後方上側に沿って環状に配置されている。２つの取付部１４２Ｌは、左用ワイヤーベルトのそれぞれに固定されている。それぞれの左用駆動ギアが回転することによって、左用ワイヤーベルトが左側支持フレーム部分１４０Ｌに沿った軌道上を移動する。そうすると、２つの取付部１４２Ｌも移動する。より詳細には、前方下側の端部から後方上側の端部の間を移動する。
【００３５】
右側支持フレーム部分１４０Ｒは、支持フレーム１４０のうち、中央フレーム１４０Ｃにより区画された右側の部分である。右側支持フレーム部分１４０Ｒは、２つの爪部１４１Ｒと、２つの取付部１４２Ｒとを含む。２つの爪部１４１Ｒは、右側支持フレーム部分１４０Ｒの前方下側に設けられている。２つの爪部１４１Ｒは、互いに左右方向に離れて位置している。一方の取付部１４２Ｒは、右側支持フレーム部分１４０Ｒの右側端部の側壁に設けられている。他方の取付部１４２Ｒは、中央フレーム１４０Ｃのうち右側支持フレーム部分１４０Ｒ側の側壁に設けられている。すなわち、２つの取付部１４２Ｒは、互いに左右方向に離れて位置している。２つの取付部１４２Ｒは、左右方向に対向して位置している。また、右側支持フレーム部分１４０Ｒの上部の左右両端には、ガイドレール１４３Ｒが設けられている。
【００３６】
右側支持フレーム部分１４０Ｒの前方下側の端部には、右用シャフトが左右方向に沿って設けられている。右用シャフトは、右用モータにより回転する。右用シャフトの両端には、右用駆動ギアが連結されている。それぞれの右用駆動ギアには、右用ワイヤーベルトが掛けられている。それぞれの右用ワイヤーベルトは、右側支持フレーム部分１４０Ｒの前方下側（すなわち右用駆動ギア）から後方上側に沿って環状に配置されている。２つの取付部１４２Ｒは、右用ワイヤーベルトのそれぞれに固定されている。それぞれの右用駆動ギアが回転することによって、右用ワイヤーベルトが右側支持フレーム部分１４０Ｒに沿った軌道上を移動する。そうすると、２つの取付部１４２Ｒも移動する。より詳細には、前方下側の端部から後方上側の端部の間を移動する。
【００３７】
（１−５）フィルタ
フィルタ１５０は、支持フレーム１４０を覆うように、すなわち、室内熱交換器１３０を覆うように、配置されている。フィルタ１５０は、室内熱交換器１３０に向かう空気中に含まれる塵埃を捕集する。本実施形態においては、フィルタ１５０は、左側フィルタ１５０Ｌおよび右側フィルタ１５０Ｒを含む。
【００３８】
左側フィルタ１５０Ｌは、室内熱交換器１３０の左半分を覆う。左側フィルタ１５０Ｌは、２つの溝部１５１Ｌと、複数の突起部１５２Ｌとを有する。２つの溝部１５１Ｌは、左側フィルタ１５０Ｌの前方下側に設けられている。２つの溝部１５１Ｌは、左右方向に離れて位置している。２つの溝部１５１Ｌが２つの爪部１４１Ｌに掛けられ、かつ、左側フィルタ１５０Ｌの左右両端のフレーム部分が左右のガイドレール１４３Ｌに差し込まれることによって、左側フィルタ１５０Ｌは、左側支持フレーム部分１４０Ｌに支持されている。
【００３９】
複数の突起部１５２Ｌは、左側フィルタ１５０Ｌの左右両端のそれぞれに列状に設けられている。より詳細には、複数の突起部１５２Ｌは、左右の外枠部分のそれぞれに前側から後側にかけて一定間隔毎に形成されている。複数の突起部１５２Ｌは、後述の清掃ユニット１６０Ｌの動作状態を、清掃状態とリフレッシュ状態との間で切り換える役割を担う。
【００４０】
右側フィルタ１５０Ｒは、室内熱交換器１３０の右半分を覆う。右側フィルタ１５０Ｒは、２つの溝部１５１Ｒと、複数の突起部１５２Ｒとを有する。２つの溝部１５１Ｒは、右側フィルタ１５０Ｒの前方下側に設けられている。２つの溝部１５１Ｒは、左右方向に離れて位置している。２つの溝部１５１Ｒが２つの爪部１４１Ｒに掛けられ、かつ、右側フィルタ１５０Ｒの左右両端のフレーム部分が左右のガイドレール１４３Ｒに差し込まれることによって、右側フィルタ１５０Ｒは、右側支持フレーム部分１４０Ｒに支持されている。
【００４１】
複数の突起部１５２Ｒは、右側フィルタ１５０Ｒの左右両端のそれぞれに列状に設けられている。より詳細には、複数の突起部１５２Ｒは、左右の外枠部分のそれぞれに前側から後側にかけて一定間隔毎に形成されている。複数の突起部１５２Ｒは、後述の清掃ユニット１６０Ｒの動作状態を、清掃状態とリフレッシュ状態との間で切り換える役割を担う。
【００４２】
（１−６）清掃ユニット
清掃ユニット１６０は、支持フレーム１４０に摺動可能に取り付けられている。清掃ユニット１６０は、フィルタ１５０に対して移動してフィルタ１５０を清掃する。より詳細には、清掃ユニット１６０は、フィルタ１５０の前方下側の端部から後方上側の端部の間を移動する。清掃ユニット１６０の動作状態は、後方上側に向けて移動する場合に清掃状態となり、前方下側に向けて移動する場合にリフレッシュ状態となる。なお、清掃状態は、フィルタ１５０に付着した塵埃を除去する状態であり、リフレッシュ状態は、後述の除去ブラシ１７０に付着した塵埃を剥がす状態である。本実施形態においては、清掃ユニット１６０は、清掃状態とリフレッシュ状態の切換を細かく繰り返す。より詳細には、清掃ユニット１６０がフィルタ１５０の前方下側の端部から後方上側の端部まで移動する間に、清掃ユニット１６０は、清掃状態とリフレッシュ状態の切換を複数回行う。
【００４３】
清掃ユニット１６０は、フィルタ１５０に対向して配置されている。なお、本明細書においては、清掃ユニット１６０のうちフィルタ１５０に対向する面とは反対側の面を表面と記し、フィルタ１５０に対向する面を裏面と記す場合がある。本実施形態においては、清掃ユニット１６０は、清掃ユニット１６０Ｌおよび清掃ユニット１６０Ｒを含む。
【００４４】
清掃ユニット１６０Ｌは、左側フィルタ１５０Ｌに対向して配置されている。清掃ユニット１６０Ｌは、２つの固定部１６１Ｌを有する。一方の固定部１６１Ｌは、左側面に設けられている。より詳細には、左側面から左方向に突出している。他方の固定部１６１Ｌは、右側面に設けられている。より詳細には、右側面から右方向に突出している。２つの固定部１６１Ｌが２つの取付部１４２Ｌに取り付けられることにより、清掃ユニット１６０Ｌは、支持フレーム１４０に支持されている。２つの取付部１４２Ｌが移動することにより、清掃ユニット１６０Ｌも移動する。
【００４５】
清掃ユニット１６０Ｒは、右側フィルタ１５０Ｒに対向して配置されている。清掃ユニット１６０Ｒは、２つの固定部１６１Ｒを有する。一方の固定部１６１Ｒは、左側面に設けられている。より詳細には、左側面から左方向に突出している。他方の固定部１６１Ｒは、右側面に設けられている。より詳細には、右側面から右方向に突出している。２つの固定部１６１Ｒが２つの取付部１４２Ｒに取り付けられることにより、清掃ユニット１６０Ｒは、支持フレーム１４０に支持されている。２つの取付部１４２Ｒが移動することにより、清掃ユニット１６０Ｒも移動する。
【００４６】
（２）清掃ユニットの詳細構成
清掃ユニット１６０Ｌの構成および清掃ユニット１６０Ｒの構成は、同一である。したがって、ここでは、清掃ユニット１６０Ｌを例に挙げて説明する。
【００４７】
図５、図６、および図７は、清掃ユニット１６０Ｌの外観斜視図である。図５および図６は、清掃ユニット１６０Ｌの表面側の外観斜視図である。図５は、後述のカバー部１６３が閉じた状態の清掃ユニット１６０Ｌを示す。図６は、カバー部１６３が開いた状態の清掃ユニット１６０Ｌを示す。図７は、清掃ユニット１６０Ｌの裏面側の外観斜視図である。図７は、カバー部１６３が閉じた状態の清掃ユニット１６０Ｌを示す。なお、本明細書では、Ｚ軸は、カバー部１６３が閉じた状態において、後述のダストボックス１６２とカバー部１６３が重ねられた方向である。Ｚ軸プラス方向は、ダストボックス１６２からカバー部１６３に向かう方向である。Ｘ軸およびＹ軸は、Ｚ軸に直交する平面における、互いに直交する２軸である。具体的には、Ｘ軸は、図５において、清掃ユニット１６０Ｌの幅方向（すなわち、紙面の左右方向）である。Ｘ軸プラス方向は、紙面の右方向である。Ｙ軸は、図５において、清掃ユニット１６０Ｌの奥行方向（すなわち、紙面の前後方向）である。Ｙ軸プラス方向は、紙面の奥方向である。
【００４８】
清掃ユニット１６０Ｌは、２つの固定部１６１Ｌに加えて、ダストボックス１６２およびカバー部１６３を有する。清掃ユニット１６０Ｌは、カバー部１６３が閉じられた状態では、全体として略直方体の形状を有する。カバー部１６３が閉じられた状態では、清掃ユニット１６０ＬのうちのＸ軸方向の長さが最も長く、Ｚ軸方向の長さが最も短い。
【００４９】
ダストボックス１６２は、窪み部１６２ａを有する。窪み部１６２ａは、ダストボックス１６２の表面側に形成されている。すなわち、窪み部１６２ａは、Ｚ軸マイナス方向に窪んでいる。本実施形態においては、窪み部１６２ａは、ダストボックス１６２のＸ軸方向の一端から他端にかけて形成されている。窪み部１６２ａは、ダストボックス１６２のＹ軸マイナス方向寄りに形成されている。本実施形態においては、窪み部１６２ａは、ダストボックス１６２のＹ軸中心付近からＹ軸マイナス方向の端部にかけて形成されている。
【００５０】
カバー部１６３は、板状の部材である。カバー部１６３のＸ軸方向およびＹ軸方向の長さは、ダストボックス１６２のＸ軸方向およびＹ軸方向の長さに合わせて形成されている。カバー部１６３は、ダストボックス１６２に取り付けられている。カバー部１６３が閉じられた状態においては、カバー部１６３は、Ｚ軸プラス方向側からダストボックス１６２に重ねられている。すなわち、カバー部１６３は、ダストボックス１６２の表面側をカバーする。ダストボックス１６２の窪み部１６２ａとカバー部１６３とにより、後述の貯留部１９０が構成されている。
【００５１】
清掃ユニット１６０は、上述のダストボックス１６２およびカバー部１６３に加えて、除去ブラシ１７０および剥離ブラシ１８０を有する。
【００５２】
除去ブラシ１７０は、左側フィルタ１５０Ｌに付着した塵埃を除去する。除去ブラシ１７０は、Ｘ軸方向に伸びた棒形状を有する。除去ブラシ１７０は、ダストボックス１６２の裏面に取り付けられている。
【００５３】
除去ブラシ１７０は、基材部分１７１、毛部分１７２、および２つのゴム製のベロ部材１７３を含む。基材部分１７１は、樹脂材料により形成されている。毛部分１７２は、基材部分１７１の一面に固定されている。本実施形態においては、毛部分１７２は、全体として一定の長さに揃えられている。除去ブラシ１７０の表面は、断面視において、略円弧状に形成されている（図８参照）。２つのベロ部材１７３は、除去ブラシ１７０を回転させる役割を担う。２つのベロ部材１７３は、除去ブラシ１７０を回転させる役割を担う。２つのベロ部材１７３は、Ｚ軸マイナス方向に突出している。一方のベロ部材１７３は、除去ブラシ１７０のＸ軸プラス方向の端部に設けられている。他方のベロ部材１７３は、除去ブラシ１７０のＸ軸マイナス方向の端部に設けられている。
【００５４】
剥離ブラシ１８０は、左側フィルタ１５０Ｌに付着した塵埃を除去することにより除去ブラシ１７０に付着した塵埃を剥がす。剥離ブラシ１８０は、Ｘ軸方向に伸びた棒形状を有する。剥離ブラシ１８０は、ダストボックス１６２の裏面に取り付けられている。剥離ブラシ１８０は、除去ブラシ１７０に対向している。
【００５５】
剥離ブラシ１８０は、基材部分１８１および毛部分１８２を含む。基材部分１８１は、樹脂材料により形成されている。毛部分１８２は、基材部分１８１の一面に固定されている。本実施形態においては、毛部分１８２は、全体として一定の長さに揃えられている。
【００５６】
図８は、図５のＶＩＩＩ−ＶＩＩＩ断面図である。図８は、清掃時の清掃ユニット１６０Ｌを示す。図８において、破線矢印は、清掃ユニット１６０Ｌの清掃時の進行方向を示す。太線矢印は、塵埃の流れを示す。既に説明したように、２つの固定部１６１Ｌが２つの取付部１４２Ｌに取り付けられた場合に、清掃ユニット１６０Ｌは、左側フィルタ１５０Ｌに対向して配置される。このとき、清掃ユニット１６０Ｌの裏面は、左側フィルタ１５０Ｌの面に沿う。
【００５７】
除去ブラシ１７０、剥離ブラシ１８０、および貯留部１９０は、左側フィルタ１５０Ｌの面に沿った方向に配置されている。より詳細には、除去ブラシ１７０は、剥離ブラシ１８０と貯留部１９０の間に位置している。すなわち、貯留部１９０は、除去ブラシ１７０を挟んで、剥離ブラシ１８０とは反対側に位置している。換言すると、清掃ユニット１６０Ｌの清掃時の進行方向の前側から順に、剥離ブラシ１８０、除去ブラシ１７０、および貯留部１９０が位置している。貯留部１９０は、剥離ブラシ１８０により剥がされた塵埃を貯留する。
【００５８】
既に説明したように、左側フィルタ１５０Ｌの左右の外枠部分のそれぞれには、複数の突起部１５２Ｌが列状に形成されている。すなわち、左側フィルタ１５０Ｌの左右の外枠部分のそれぞれには、突起部列が形成されている。清掃ユニット１６０Ｌが移動する場合に、２つのベロ部材１７３は、突起部列のそれぞれの列上を移動する。
【００５９】
除去ブラシ１７０の毛部分１７２が左側フィルタ１５０Ｌに対向している場合には、図８に示されるように、ベロ部材１７３は、清掃ユニット１６０ＬのＹ軸方向の略中央に位置している。このとき、ベロ部材１７３は、紙面下方に向いている。清掃ユニット１６０Ｌが左側フィルタ１５０Ｌの後方上側の方向（図８の破線矢印で示す方向）に移動すると、２つのベロ部材１７３は、それぞれの突起部列の突起部１５２Ｌの各々を乗り越える。したがって、毛部分１７２が左側フィルタ１５０Ｌに対向した状態が維持される。よって、この間に、左側フィルタ１５０Ｌに対する清掃動作が行われる。すなわち、毛部分１７２により、左側フィルタ１５０Ｌに付着した塵埃が除去される。
【００６０】
一方、清掃ユニット１６０Ｌが左側フィルタ１５０Ｌの前方下側の方向（図８の破線矢印で示す方向とは反対方向）に移動すると、２つのベロ部材１７３は、それぞれの突起部列のいずれかの突起部１５２Ｌに引っ掛かり、押されることにより、Ｙ軸プラス方向に移動する。これにより、除去ブラシ１７０の全体が反時計周りに回転する。そうすると、毛部分１７２が清掃ユニット１６０Ｌの内部に収納される。毛部分１７２が左側フィルタ１５０Ｌに対向しないので、左側フィルタ１５０Ｌに付着した塵埃の除去は行われない。
【００６１】
一方、除去ブラシ１７０の全体が反時計周りに回転することにより、除去ブラシ１７０の毛部分１７２と剥離ブラシ１８０の毛部分１８２とが、互いに接触する。これにより、除去ブラシ１７０に付着した塵埃が取り除かれる。すなわち、リフレッシュ動作が行われる。このとき、除去ブラシ１７０と剥離ブラシ１８０が互いに接する領域のうち、清掃ユニット１６０Ｌの内側の部分Ａは、清掃ユニット１６０Ｌの外側の部分Ｂよりも強く接している。除去ブラシ１７０と剥離ブラシ１８０の位置関係は、部分Ａが部分Ｂよりも強く接するように、調整されている。塵埃は、太線矢印に示されるように案内されて貯留部１９０に貯留される。
【００６２】
２つのベロ部材１７３がＹ軸プラス方向に移動した結果、２つのベロ部材１７３は、清掃ユニット１６０ＬのＹ軸方向の中央よりもプラス方向寄りに位置している。このとき、ベロ部材１７３は、紙面上方に向いている。その後、清掃ユニット１６０Ｌが左側フィルタ１５０Ｌの後方上側の方向に再度移動すると、２つのベロ部材１７３は、それぞれの突起部列のいずれかの突起部１５２Ｌに引っ掛かり、押されることにより、Ｙ軸マイナス方向に移動する。これにより、除去ブラシ１７０の全体が時計周りに回転する。そうすると、毛部分１７２が清掃ユニット１６０Ｌの外部に現れ、毛部分１７２は、左側フィルタ１５０Ｌに再び対向する。
【００６３】
上述のように、剥離ブラシ１８０により剥がされた塵埃が貯留部１９０に案内されるときに、剥離ブラシ１８０および除去ブラシ１７０は、互いに接触している。すなわち、剥離ブラシ１８０と除去ブラシ１７０の間に隙間が存在しない。
【００６４】
ここでは、塵埃の流れをより詳細に説明する。既に説明したように、清掃ユニット１６０Ｌが左側フィルタ１５０Ｌの前方下側の端部から後方上側の端部まで移動する間に、清掃ユニット１６０Ｌは、清掃状態とリフレッシュ状態の切換を複数回行う。すなわち、清掃ユニット１６０Ｌは、左側フィルタ１５０Ｌの後方上側の方向への移動と、前方下側の方向への移動とを繰り返しながら、最終的に後方上側の端部まで移動する。ここで、清掃ユニット１６０Ｌが左側フィルタ１５０Ｌの前方下方から前方上方の間を移動する場合には、除去ブラシ１７０から剥がされた塵埃は、重力により貯留部１９０に運ばれる。
【００６５】
清掃ユニット１６０Ｌは、左側フィルタ１５０Ｌの後方に向かうにつれて、その体勢を起こす。すなわち、清掃ユニット１６０Ｌの姿勢は、清掃ユニット１６０Ｌの裏面が水平面に沿う水平姿勢に近づく。したがって、清掃ユニット１６０Ｌが左側フィルタ１５０Ｌの前方上方から後方上方の間を移動する場合には、除去ブラシ１７０から剥がされた塵埃は、貯留部１９０に運ばれ難くなる。つまり、塵埃は、除去ブラシ１７０および剥離ブラシ１８０の近辺に滞留する。その後、清掃ユニット１６０Ｌが前方に向けて移動し、さらに上方から下方に移動すると、滞留していた塵埃は、重力により貯留部１９０に運ばれる。塵埃が除去ブラシ１７０および剥離ブラシ１８０の近辺に滞留している間のリフレッシュ動作中においても、剥離ブラシ１８０と除去ブラシ１７０の間には隙間が存在しない。
【００６６】
図９は、除去ブラシ１７０の基材部分１７１の外観斜視図である。基材部分１７１は、毛部分１７２を取り付けるための取付面１７４を有する。取付面１７４は、平坦ではなく、凹凸状に形成されている。すなわち、取付面１７４は、凸部１７４ａと、凹部１７４ｂとを含む。詳しくは後述するが、取付面１７４のうち後述の前後フレーム２５５ｂ（図１１参照）に対向する部分が凹んでいる。
【００６７】
図１０は、剥離ブラシ１８０の基材部分１８１の外観斜視図である。基材部分１８１は、毛部分１８２を取り付けるための取付面１８４を有する。取付面１８４は、平坦ではなく、凹凸状に形成されている。すなわち、取付面１８４は、凸部１８４ａと、凹部１８４ｂとを含む。詳しくは後述するが、取付面１８４のうち前後フレーム２５５ｂ（図１１参照）に対向する部分が凸んでいる。
【００６８】
（３）フィルタの詳細構成
左側フィルタ１５０Ｌの構成および右側フィルタ１５０Ｒの構成は、同一である。したがって、ここでは、左側フィルタ１５０Ｌを例に挙げて説明する。
【００６９】
図１１は、左側フィルタ１５０Ｌの外観斜視図である。左側フィルタ１５０Ｌは、フィルタフレーム２５０およびフィルタ本体２６０を有する。フィルタフレーム２５０は、前側下方フレーム２５１、後側上方フレーム２５２、左側フレーム２５３、右側フレーム２５４、および内フレーム２５５を含む。前側下方フレーム２５１、後側上方フレーム２５２、左側フレーム２５３、および右側フレーム２５４により、左側フィルタ１５０Ｌの外周枠が構成されている。
【００７０】
内フレーム２５５は、外周枠により囲まれる領域を複数の区画に区分けする。内フレーム２５５は、左右フレーム２５５ａと、前後フレーム２５５ｂとを含む。本実施形態においては、外周枠により囲まれる領域は、前後方向に５区画に区分けされ、左右方向に３区画に区分けられる。すなわち、５行×３列に区分けされている。複数の区画のそれぞれには、フィルタ本体２６０が配置されている。また、詳しくは後述するが、フィルタ本体２６０は、自重により撓み得る。なお、内フレーム２５５の本数は、上述の例に限られず、他の本数でもよい。また、内フレーム２５５が形成されていなくてもよい。この場合には、上述の外周枠に１つのフィルタ本体２６０が形成される。
【００７１】
（４）除去ブラシとフィルタの位置関係
清掃ユニット１６０Ｌの除去ブラシ１７０と、左側フィルタ１５０Ｌとの位置関係、および清掃ユニット１６０Ｒの除去ブラシ１７０と、右側フィルタ１５０Ｒとの位置関係は、同一である。したがって、ここでは、清掃ユニット１６０Ｌの除去ブラシ１７０と、左側フィルタ１５０Ｌとの位置関係を例に挙げて説明する。
【００７２】
図１２は、除去ブラシ１７０と左側フィルタ１５０Ｌの位置関係を説明する図である。図１２は、除去ブラシ１７０と左側フィルタ１５０Ｌを模式的に示す。ここでは、左側フィルタ１５０Ｌのうち上述の区画された１列が図示されている。具体的には、左側フィルタ１５０Ｌの１列は、左側フィルタ１５０Ｌが支持フレーム１４０に取り付けられた場合に、略水平に位置する部分である。この部分では、自重による撓みが最も大きくなる。図１２において、第１基準直線Ｓ１は、除去ブラシ１７０の内部を通り、かつ、除去ブラシ１７０の延伸方向（すなわち図５のＸ軸方向）に沿う直線である。
【００７３】
１列を構成している３つのフィルタ本体２６０は、フィルタフレーム２５０により固定されている。それぞれのフィルタ本体２６０は、自重により撓んでいる。より詳細には、それぞれのフィルタ本体２６０の撓みは、フィルタフレーム２５０から左右方向に離れるにつれて、大きくなる。
【００７４】
例えば、左端のフィルタ本体２６０は、左側フレーム２５３および前後フレーム２５５ｂにより固定されている。ここで、左端のフィルタ本体２６０の第１撓み部分ＦＰ１が、第１撓み量Ａ１だけ撓んでいるのに対し、左端のフィルタ本体２６０の第２撓み部分ＦＰ２は、第２撓み量Ａ２だけ撓んでいる。第２撓み部分ＦＰ２は、第１撓み部分ＦＰ１よりも左側フレーム２５３から離れている。すなわち、第１撓み部分ＦＰ１は、第２撓み部分ＦＰ２よりも左側フレーム２５３に寄っている。ただし、第２撓み部分ＦＰ２は、左側フレーム２５３と前後フレーム２５５ｂの中央よりも左側に寄っている。第２撓み量Ａ２は、第１撓み量Ａ１よりも大きい。
【００７５】
左端のフィルタ本体２６０の撓みは、左側フレーム２５３から右方向に離れるにつれて、かつ、前後フレーム２５５ｂから左方向に離れるにつれて、大きくなる。すなわち、左端のフィルタ本体２６０の撓みは、左側フレーム２５３と前後フレーム２５５ｂの中央付近で最も大きくなる。左端のフィルタ本体２６０の形状は、下側に突出した略ドーム状である。
【００７６】
なお、中央のフィルタ本体２６０の撓みおよび右端のフィルタ本体２６０の撓みについても、左端のフィルタ本体２６０の撓みと同様のことが言える。
【００７７】
除去ブラシ１７０は、上述の撓み具合に合わせて形成されている。除去ブラシ１７０の毛先１７５は、フィルタフレーム２５０から左右方向に離れるにつれて、第１基準直線Ｓ１から離れている。すなわち、毛先１７５は、フィルタフレーム２５０から左右方向に離れるにつれて、フィルタ本体２６０の撓み方向と同方向（すなわち下側）に突出している。本実施形態においては、基材部分１７１の厚みがフィルタフレーム２５０から離れるにつれて厚くなる。これにより、除去ブラシ１７０の毛先は、フィルタフレーム２５０から離れるにつれて第１基準直線Ｓ１から離れる。
【００７８】
例えば、左端の凸部１７４ａにおいては、除去ブラシ１７０の第１部分Ｐ１は、第１基準直線Ｓ１から第１距離Ｄ１だけ離れているのに対し、第２部分Ｐ２は、第１基準直線Ｓ１から第２距離Ｄ２だけ離れている。ここで、第１距離Ｄ１は、第１部分Ｐ１と第１基準直線Ｓ１を結ぶ最短距離である。第２距離Ｄ２は、第２部分Ｐ２と第１基準直線Ｓ１を結ぶ最短距離である。第２部分Ｐ２は、第１部分Ｐ１よりも左側フレーム２５３から離れている。すなわち、第１部分Ｐ１は、第２部分Ｐ２よりも左側フレーム２５３に寄っている。ただし、第２部分Ｐ２は、左側フレーム２５３と前後フレーム２５５ｂの中央よりも左側に寄っている。第２距離Ｄ２は、第１距離Ｄ１よりも長い。
【００７９】
除去ブラシ１７０の第１部分Ｐ１は、除去ブラシ１７０が塵埃を除去する場合に、フィルタ本体２６０の第１撓み部分ＦＰ１に対向する。除去ブラシ１７０の第２部分Ｐ２は、除去ブラシ１７０が塵埃を除去する場合に、フィルタ本体２６０の第２撓み部分ＦＰ２に対向する。
【００８０】
左端の凸部１７４ａの出っ張りは、左側フレーム２５３から右方向に離れるにつれて、かつ、前後フレーム２５５ｂから左方向に離れるにつれて、大きくなる。すなわち、左端の凸部１７４ａの出っ張りは、左側フレーム２５３と前後フレーム２５５ｂの中央付近で最も大きくなる。左端の凸部１７４ａの形状は、下側に突出した略ドーム状である。
【００８１】
なお、中央の凸部１７４ａの形状および右端の凸部１７４ａの形状についても、左端の凸部１７４ａの形状と同様のことが言える。
【００８２】
以上のように、除去ブラシ１７０は、左右方向に並ぶ３つのフィルタ本体２６０の撓みに対応した３つの凸部１７４ａを含む。換言すると、除去ブラシ１７０のうち前後フレーム２５５ｂに対向する部分が相対的に凹んでいる。すなわち、凹部１７４ｂは、除去ブラシ１７０のうち前後フレーム２５５ｂに対向する部分に形成されている。
【００８３】
（５）除去ブラシと剥離ブラシの位置関係
図１３は、除去ブラシ１７０と剥離ブラシ１８０の位置関係を説明する図である。図１３は、除去ブラシ１７０と剥離ブラシ１８０を模式的に示す。図１３において、第２基準直線Ｓ２は、剥離ブラシ１８０の内部を通り、かつ、剥離ブラシ１８０の延伸方向（すなわち図５のＸ軸方向）に沿う直線である。第１基準直線Ｓ１は、既に説明した通りである。
【００８４】
剥離ブラシ１８０は、除去ブラシ１７０の毛先の形状に合わせて形成されている。剥離ブラシ１８０の毛先１８５は、フィルタフレーム２５０から左右方向に離れるにつれて、第２基準直線Ｓ２に近づいている。すなわち、毛先１８５は、フィルタフレーム２５０から左右方向に離れるにつれて、剥離ブラシ１８０の厚み方向に凹んでいる。本実施形態においては、基材部分１８１の厚みがフィルタフレーム２５０から離れるにつれて薄くなる。これにより、剥離ブラシ１８０の毛先１８５は、フィルタフレーム２５０から離れるにつれて第２基準直線Ｓ２に近づく。
【００８５】
例えば、左端の凹部１８４ｂにおいては、剥離ブラシ１８０の第３部分Ｐ３は、第２基準直線Ｓ２から第３距離Ｄ３だけ離れているのに対し、第４部分Ｐ４は、第２基準直線Ｓ２から第４距離Ｄ４だけ離れている。ここで、第３距離Ｄ３は、第３部分Ｐ３と第２基準直線Ｓ２を結ぶ最短距離である。第４距離Ｄ４は、第４部分Ｐ４と第２基準直線Ｓ２を結ぶ最短距離である。第４部分Ｐ４は、第３部分Ｐ３よりも左側フレーム２５３から離れている。すなわち、第３部分Ｐ３は、第４部分Ｐ４よりも左側フレーム２５３に寄っている。ただし、第４部分Ｐ４は、左側フレーム２５３と前後フレーム２５５ｂの中央よりも左側に寄っている。第３距離Ｄ３は、第４距離Ｄ４よりも長い。
【００８６】
剥離ブラシ１８０の第３部分Ｐ３は、除去ブラシ１７０の第１部分Ｐ１に対向する。剥離ブラシ１８０の第４部分Ｐ４は、除去ブラシ１７０の第２部分Ｐ２に対向する。
【００８７】
左端の凹部１８４ｂの窪みは、左側フレーム２５３から右方向に離れるにつれて、かつ、前後フレーム２５５ｂから左方向に離れるにつれて、大きくなる。すなわち、左端の凹部１８４ｂの窪みは、左側フレーム２５３と前後フレーム２５５ｂの中央付近で最も大きくなる。左端の凹部１８４ｂの形状は、略椀状である。
【００８８】
なお、中央の凹部１８４ｂの形状および右端の凹部１８４ｂの形状についても、左端の凹部１８４ｂの形状と同様のことが言える。
【００８９】
以上のように、剥離ブラシ１８０は、３つの凸部１７４ａに対応した３つの凹部１８４ｂを含む。換言すると、剥離ブラシ１８０のうち前後フレーム２５５ｂに対向する部分が相対的に凸んでいる。すなわち、凸部１８４ａは、前後フレーム２５５ｂに対向する部分、つまり、凹部１７４ｂに対向する部分に形成されている。
【００９０】
（６）空気調和装置の特徴
本実施形態の空気調和装置１００においては、フィルタ１５０と、清掃ユニット１６０に含まれる除去ブラシ１７０とを備える。清掃ユニット１６０は、フィルタ１５０に接触しながらフィルタ１５０に対して移動する。これにより、除去ブラシ１７０はフィルタ本体２６０に付着した塵埃を除去する。
【００９１】
既に説明したように、フィルタ本体２６０は、自重により撓み得る。特に、図１２に示されたように、支持フレーム１４０に対して略水平に位置する部分では、撓みが相対的に大きい。ここで、仮に、除去ブラシ１７０の毛先１７５の形状が平坦であれば、フィルタ本体２６０の撓んだ部分に付着した塵埃を除去することは困難である。本実施形態においては、図１２に示したように、除去ブラシ１７０の第１部分Ｐ１は、第１基準直線Ｓ１から第１距離Ｄ１だけ離れており、除去ブラシ１７０の第２部分Ｐ２は、第１基準直線Ｓ１から第１距離Ｄ１よりも長い第２距離Ｄ２だけ離れている。第１部分Ｐ１は、除去ブラシ１７０が塵埃を除去する場合に、フィルタ本体２６０が第１撓み量Ａ１だけ撓んだ部分（すなわち第１撓み部分ＦＰ１）に対向する部分である。第２部分Ｐ２は、除去ブラシ１７０が塵埃を除去する場合に、フィルタ本体２６０が第１撓み量Ａ１よりも大きい第２撓み量Ａ２だけ撓んだ部分（すなわち第２撓み部分ＦＰ２）に対向する部分である。
【００９２】
以上のように、除去ブラシ１７０の毛先１７５は、第１部分Ｐ１では、第１基準直線Ｓ１から第１距離Ｄ１だけ離れるように、形成されている。一方、第２部分Ｐ２では、第１基準直線Ｓ１から第１距離Ｄ１よりも長い第２距離Ｄ２だけ離れるように、形成されている。除去ブラシ１７０の毛先１７５の高さが一定ではなく、フィルタ本体２６０の撓み量に応じて変えられているので、撓み量が小さい部分に限らず、撓み量が大きい部分に対しても塵埃を効果的に除去することができる。すなわち、フィルタ本体２６０の撓み量によらず、塵埃を除去することができる。結果として、除去ブラシ１７０による塵埃の取り残しを低減することができる。
【００９３】
本実施形態においては、第１部分Ｐ１は、第２部分Ｐ２よりもフィルタフレーム２５０に寄っている。すなわち、除去ブラシ１７０の第１部分Ｐ１は、フィルタフレーム２５０近傍に対向し、第２部分Ｐ２は、フィルタフレーム２５０近傍というよりも、フィルタフレーム２５０からある程度離れた部分に対向する。以上のように、第１部分Ｐ１および第２部分Ｐ２が位置することにより、フィルタ本体２６０の撓み量に応じた、除去ブラシ１７０の毛先１７５の高さを実現することができる。
【００９４】
本実施形態においては、除去ブラシ１７０の毛先１７５は、フィルタフレーム２５０から離れるにつれて、第１基準直線Ｓ１から離れる。すなわち、除去ブラシ１７０の毛先１７５は、凸状に湾曲して形成されている。除去ブラシ１７０の毛先がフィルタ本体２６０の撓み具合に合わせた形状に形成されているので、フィルタ本体２６０に付着した塵埃を効果的に除去することができる。
【００９５】
本実施形態においては、除去ブラシ１７０は、基材部分１７１を有する。そして、基材部分１７１の厚みが、フィルタフレーム２５０から離れるにつれて厚くなることにより、除去ブラシ１７０の毛先１７５は、フィルタフレーム２５０から離れるにつれて第１基準直線Ｓ１から離れる。これにより、毛部分１７２の長さを変えることなく、除去ブラシ１７０の毛先１７５を凸状に湾曲させることができる。
【００９６】
本実施形態においては、清掃ユニット１６０には、さらに、剥離ブラシ１８０が含まれる。剥離ブラシ１８０は、除去ブラシ１７０に対向して配置されている。剥離ブラシ１８０のうち第１部分Ｐ１に対向する部分（すなわち第３部分Ｐ３）の毛先は、剥離ブラシ１８０のうち第２部分Ｐ２に対向する部分（すなわち第４部分Ｐ４）の毛先よりも、第２基準直線Ｓ２から離れている。すなわち、剥離ブラシ１８０の毛先１８５の形状は、除去ブラシ１７０の毛先１７５の形状に沿うように形成されている。これにより、除去ブラシ１７０に付着した塵埃を効果的に剥がすことができる。
【００９７】
＜変形例＞
本発明の実施形態に適用可能な変形例を説明する。
【００９８】
（１）変形例Ａ
以上の説明では、除去ブラシ１７０の毛先１７５がフィルタフレーム２５０から離れるにつれて第１基準直線Ｓ１から離れるように、基材部分１７１の厚みがフィルタフレーム２５０から離れるにつれて厚くなったが、毛部分１７２の長さが、フィルタフレーム２５０から離れるにつれて長くなってもよい。この場合には、基材部分１７１の厚さを変えることなく、除去ブラシ１７０の毛先１７５を凸状に湾曲させることができる。
【００９９】
（２）変形例Ｂ
以上の説明では、剥離ブラシ１８０の毛先１８５がフィルタフレーム２５０から離れるにつれて第２基準直線Ｓ２に近づくように、基材部分１８１の厚みがフィルタフレーム２５０に近づくにつれて厚くなったが、毛部分１８２の長さが、フィルタフレーム２５０から離れるにつれて短くなってもよい。この場合には、基材部分１８１の厚さを変えることなく、剥離ブラシ１８０の毛先１８５を凹状に湾曲させることができる。
【０１００】
（３）変形例Ｃ
以上の説明では、除去ブラシ１７０とフィルタ本体２６０の、互いに対向する部分において、フィルタ本体２６０の撓み量と除去ブラシ１７０の突出量は同程度であったら、除去ブラシ１７０の突出量がフィルタ本体２６０の撓み量よりも大きくてもよい。この場合には、除去ブラシ１７０の毛先１７５がフィルタ本体２６０に、より強く押し付けられながら移動するので、塵埃を除去する能力を向上させることができる。
【０１０１】
（４）変形例Ｄ
以上の説明では、除去ブラシ１７０の毛先１７５の凹部は、内フレーム２５５（具体的には前後フレーム２５５ｂ）の位置に合わせて形成されていたが、支持フレーム１４０の外周枠を区画する内フレームの位置に合わせて形成されてもよい。
【０１０２】
（５）変形例Ｅ
以上の説明では、清掃ユニット１６０がフィルタ１５０に対して移動したが、フィルタ１５０が清掃ユニット１６０に対して移動してもよい。より詳細には、清掃ユニット１６０が支持フレーム１４０に固定され、フィルタ１５０が支持フレーム１４０に摺動可能に取り付けられてもよい。すなわち、清掃ユニット１６０は、フィルタ１５０に対して相対的に移動すればよい。
【０１０３】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【符号の説明】
【０１０４】
１００  空気調和装置
１５０  フィルタ
１７０  除去ブラシ
１８０  剥離ブラシ
１７１  基材部分
１７２  毛部分
１８１  基材部分
２５０  フィルタフレーム
２６０  フィルタ本体
【先行技術文献】
【特許文献】
【０１０５】
【特許文献１】特開２００９−１９２２１１号公報
【図１】
0006299718.tif 000002
【図２】
0006299718.tif 000003
【図３】
0006299718.tif 000004
【図４】
0006299718.tif 000005
【図５】
0006299718.tif 000006
【図６】
0006299718.tif 000007
【図７】
0006299718.tif 000008
【図８】
0006299718.tif 000009
【図９】
0006299718.tif 000010
【図１０】
0006299718.tif 000011
【図１１】
0006299718.tif 000012
【図１２】
0006299718.tif 000013
【図１３】
0006299718.tif 000014